(57)【要約】      （修正有）【課題】可搬性に優れ、製造コストを低減でき、且つ使い易い縫い針用カード型ケースを提供する。【解決手段】縫い針用カード型ケースは、本革より伸びに対する抗力が高いシートからなる台板１と、台板１と同じ特性を有するとともに台板よりも短い長さを有し、台板の表面上に配置された上板２と、上板２と台板１とを縫い合わせたことにより、上板２と台板１との間に複数のポケット３１〜３６を設けたものである。【選択図】図１
0003212383.tif 000002
【実用新案登録請求の範囲】
【請求項１】
本革より伸びに対する抗力が高いシートからなる台板と、
前記台板と同じ特性を有するとともに前記台板よりも短い長さを有し、前記台板の表面上に配置された上板と、
前記上板と前記台板とを縫い合わせたことにより、前記上板と前記台板との間に複数のポケットを設けたことを特徴とする縫い針用カード型ケース。
【請求項２】
前記シートは、基布として不織布を用いた塩化ビニル製合成皮革であることを特徴とする請求項１に記載の縫い針用カード型ケース。
【請求項３】
前記台板は、前記シートを２枚貼り合せて構成されており、それぞれの前記シートの裏側を合わせて糊付けされたことを特徴とする請求項１または請求項２に記載の縫い針用カード型ケース。
【請求項４】
前記台板は、クレジットカードと同等の大きさであることを特徴とする請求項１から請求項３のいずれか１項に記載の縫い針用カード型ケース。
【請求項５】
同じ幅の前記ポケットが設けられたことを特徴とする請求項１から請求項４のいずれか１項に記載の縫い針用カード型ケース。
【請求項６】
異なる幅の前記ポケットが設けられたことを特徴とする請求項１から請求項４のいずれか１項に記載の縫い針用カード型ケース。
【考案の詳細な説明】
【技術分野】
【０００１】
この考案は、縫い針用カード型ケースに関するものであり、例えば、手芸で使用される縫い針等が保管された縫い針用カード型ケースに関するものである。
【背景技術】
【０００２】
従来、手芸等で使用される縫い針やピンなど、鋭利な先端を有する針を保管あるいは持ち運ぶ場合、手や指に先端が刺さるという危険な状況が予見される。これを防ぐために、従来は、「針山」に針を刺して保管したり、ソーイングセットのケースの中に入れて持ち運んだり、ふた付きケースの中に設置された磁石で縫い針を保持して持ち運んだりすることが行われていた（例えば、特許文献１〜特許文献４参照）。
【０００３】
しかしながら、外出先で作業する場合、バッグなどに入れて針を持ち運ぶには「針山」は嵩張りすぎて不便である。また、針等を着脱可能に保持するソーイング用品ホルダとケースを備えたソーイングセットや磁石を利用した針ケースも同様で、ケースそのものが嵩張ってしまうという不便さがあった。さらに、ケースの材料がプラスチックや木などの硬質材料が使われているため、破損しやすく取り扱いに注意しなければならないという問題点もあった。
【０００４】
そこで、上述の問題点を解消するために、針ケースのように、針を挿入するための複数のポケットを設け、針が飛び出さないようにするために折り畳み式財布のごとく、ポケット全体を覆うようにした構造のものが考案されている。また、手縫い針専用ケースのように名刺より大きなサイズの本革に溝を掘って針を入れるポケットを作り、ポケットからはみ出した針上部を覆うカバーを設けた構造のものが考案されている。さらにまた、１枚の本革を３つ折りにして、一方の端部をポケット用に、他方の端部をカバーとして用いて収納された針上部を覆う構造を有する名刺大サイズのニードルケースが考案されている。
【先行技術文献】
【特許文献】
【０００５】
【特許文献１】特開２０１０−１１５２２６号公報
【特許文献２】特開２００３−８９９１４号公報
【特許文献３】特開平９−２７６５８１号公報
【特許文献４】実用新案登録第３１０１７３６号公報
【考案の概要】
【考案が解決しようとする課題】
【０００６】
しかしながら、上述の折り畳み式財布構造の針ケースは、安全性や可搬性は以前より向上したものの、依然として厚さが厚く、嵩張ってしまうという不便さが残されていた。また、名刺やクレジットカードの大きさの本革のカード上にポケットを作って、そこに針を入れて保管・運搬するものは、可搬性に優れているものの、針の出し入れで本革製のポケットが次第にゆるくなってしまうため、ボンテックス芯を入れてポケットが緩まないようにする必要がある。
【０００７】
また、針の飛び出しを防ぐためのカバーを付けざるを得ず、製造コストを増加させる要因となっていた。さらに、ポケットを構成する材料が比較的表面が柔らかな本革を使用するため、針を挿入するときに鋭利な針先がポケットの内面に刺さってスムーズに挿入できず使いにくいという不具合もあった。
【０００８】
この考案は、上述のような課題を解決するためになされたものであり、可搬性に優れ、製造コストを低減でき、且つ使いやすい縫い針用カード型ケースを提供することを目的とする。
【課題を解決するための手段】
【０００９】
この考案に係わる縫い針用カード型ケースは、本革より伸びに対する抗力が高いシートからなる台板と、前記台板と同じ特性を有するとともに前記台板よりも短い長さを有し、前記台板の表面上に配置された上板と、前記上板と前記台板とを縫い合わせたことにより、前記上板と前記台板との間に複数のポケットを設けたものである。
【考案の効果】
【００１０】
この考案の縫い針用カード型ケースによれば、本革より伸びに対する抗力が高くなるよう加工されたシートを使用することによって、ポケットのゆるみが抑えられて針の保持力が高まるので、カバーやボンテックス芯が不要になり、製造コストの低減化を図ることができる。また、ポケットの内側（シートの裏側）に針先が刺さりにくくなるので、針をスムーズにポケットに挿入でき、使いやすさを向上させることができる。
【図面の簡単な説明】
【００１１】
【図１】この考案の実施の形態１に係わる縫い針用カード型ケースを示す斜視図である。
【図２】図１の矢印Ａ方向から見た拡大断面図である。
【図３】図１の矢印Ａ方向から見た拡大断面図である。
【図４】この考案の実施の形態２に係わる縫い針用カード型ケースを示す斜視図である。
【考案を実施するための形態】
【００１２】
実施の形態１．
以下、図面に基づいてこの考案の実施の形態１について説明する。なお、各図面において、同一符号は同一あるいは相当部分を示す。
図１は、この考案の実施の形態１に係わる縫い針用カード型ケースを示す斜視図である。図１において、台板１は、クレジットカードとほぼ同じ外形サイズ（５２ｍｍ×８５ｍｍ）であり、例えば厚さ１．４ｍｍの合成皮革シート２枚のそれぞれの裏側を合わせて糊付けされて構成されている。ここで、合成皮革シートは、不織布を基布とした塩化ビニル製のものである。
【００１３】
上板２は、台板１の同じ横幅（５２ｍｍ）、約半分の縦幅（４０ｍｍ）、厚さ１．４ｍｍの合成皮革シート１枚からなっており、その表側を上に、裏側を下にして、台板１の上部に重ねられて配置され、ポリエステル製の綴じ糸４によって、２．５ｍｍの縫い幅で縫い合わされている。
さらに、上板２は、綴じ糸５１〜５５によって台板１に２．５ｍｍの縫い幅で縫付けられ、これにより、上板２と台板１との間に横幅８．０ｍｍの複数のポケット３１〜３６が設けられている。
【００１４】
図２および図３は、それぞれ図１の矢印Ａ方向から見た拡大断面図の一部分であり、図２は縫い針６が挿入されていない状態を示し、図３は、縫い針６がポケット３５に挿入された状態を示す。
図２においては、ポケット３５の台板１と上板２の間の隙間３は小さく、図３においては、ポケット３５の台板１と上板２の間の隙間３は、縫い針６が挿入されて縫い針６の厚さ分だけ広がっている。
【００１５】
この考案の実施の形態１においては、台板１および上板２の材料として、本革より伸びにくく復元力の高い合成皮革シートを使用しているので、ポケット３５における上板２と台板１を押し広げる力は、本革を使用した場合より大きな力が必要とされる。
したがって、縫い針６は、ポケット３５の上板２と台板１を押し広げる力のより強力な反力によって、その位置にきっちりと固定されることになる。
【００１６】
以上のとおり、この考案の実施の形態１における縫い針用カード型ケースによれば、本革より伸びにくく復元力の高い合成皮革シートを台板１と上板２に使用した。つまり、本革より伸びに対する抗力が高くなるよう加工されたシートを使用した。これにより、ポケット３１〜３６のゆるみが抑えられ縫い針６の保持力が高まるので、カバーやボンテックス芯が不要になり、製造コストの低減化を図ることができる。
また、縫い針６をポケット３１〜３６に挿入する際、ポケット３１〜３６の内側に鋭利な針先が引っかかることが少なくなるので、使いやすさを向上できる。
【００１７】
なお、台板１と上板２に使用するシートは、塩化ビニルと不織布からなる合成皮革シートに限るものではない。例えば、本革の裏側に不織布やナイロン製のタフタを張り付けるなどして、伸びに対する抗力を高めるよう加工されたシートであれば、どのようなものであってもよく、この考案の目的を達成することができる。
また、台板１と上板２は、全く同じシートを使用する必要はない。本革より伸びに対する抗力が高い特性を有するシートであれば、例えば、台板１は合成皮革シート、上板２は本革の裏側に不織布を張り付けたシート、というように、台板１と上板２に異なるシートを使用しても、この考案の目的を達成することができる。
また、この考案の実施の形態１では、表側が塩化ビニル製の合成皮革シートを使用した。これによって、シートの表側に使用できる色数が増えるとともに様々な柄が印刷可能になるため、縫い針用カード型ケースの意匠性を向上させることができる。
【００１８】
さらにまた、この考案の実施の形態１では、台板１を２枚の合成皮革シートを張り合わせるように構成した。これによって、台板１の曲げに対する強度が上がるため、持ち運び中に針が曲がったり折れたりする危険性を減少させることができる。また、台板１を１枚の合成皮革シートで構成した場合は、シートの裏側（不織布）が縫い針用カード型ケースの裏側に現れるので、意匠的に好ましいものではない。しかしながら、この考案の実施の形態１のように、２枚の合成皮革シートを張り合わせるようにしたことで、縫い針用カード型ケースの表裏とも合成皮革シートの表側が現れるようになる。よって、意匠的にも優れた構造となる。
【００１９】
さらにまた、この考案の実施の形態１では、台板１の大きさをクレジットカードとほぼ同じ大きさとした。これにより、名刺入れや財布へ収納して持ち運ぶことも可能になり、利便性が向上する。
なお、この考案の実施の形態１では、綴じ糸５１〜５５に使用する糸をポリエステル製とし、綴じ糸５１〜５５の縫い幅を綴じ糸４とおなじく２．５ｍｍとし、ポケット３１〜３６の幅を一様に８．０ｍｍとしたが、綴じ糸５１〜５５に使用する糸の種類、綴じ糸５１〜５５の縫い幅、及びポケット３１〜３６の幅と数はこれに限るものではない。
【００２０】
縫い針６をポケット３１〜３６に挿入する際、縫い針６が台板１と上板２を押し広げることになるが、それに抗する力の強弱は、シートの材質だけでなく、綴じ糸５１〜５５に使用する糸の種類、綴じ糸５１〜５５の縫い幅、及びポケット３１〜３６の幅とも強く関係している。すなわち、使用する糸が伸びにくい性質のものであればあるほど抗力は強く、逆に伸びやすい性質のものであればあるほど抗力は弱くなる。また、綴じ糸５１〜５５の縫い幅が狭いほど抗力は強く、逆に広いほど抗力は弱くなる。
【００２１】
さらに、ポケット３１〜３６の幅が狭いほど抗力は強く、逆に広いほど抗力は弱くなる。従って、使用する縫い針６の太さに応じた適切な縫い針６の保持力をポケット３１〜３６に持たせるために、綴じ糸５１〜５５として使用する糸の種類、綴じ糸５１〜５５の縫い幅、及びポケット３１〜３６の幅の組み合わせを変えることは、自由に選択でき容易に実施できる。
【００２２】
実施の形態２．
図４は、この考案の実施の形態２に係わる縫い針用カード型ケースを示す斜視図である。この考案の実施の形態２においては、図４に示すように、ポケット３１〜３３の幅が７．０ｍｍに、ポケット３４〜３６の幅が９．０ｍｍになるように、上板２が綴じ糸５１〜５５によって台板１に２．５ｍｍの縫い幅で縫付けられている。この考案の実施の形態２においては、図４に示すように上記以外の構成は図１と同様である。
【００２３】
以上のとおり、この考案の実施の形態２では、細い縫い針用の３つのポケット３１〜３３と太い縫い針用の３つのポケット３４〜３６を一つの縫い針用カード型ケースにおいて構成したので、１枚の縫い針用カード型ケースで２種類の太さの縫い針を保管し運搬することができ、使い勝手が向上する。
なお、この考案は、その考案の範囲内において、各実施の形態を自由に組み合わせたり、各実施の形態を適宜、変形、省略することが可能である。
【産業上の利用可能性】
【００２４】
この考案は、縫い針等小型針をコンパクトに持ち運ぶことができる縫い針用カード型ケースの実現に好適である。
【符号の説明】
【００２５】
１  台板、２  上板、３  隙間、３１〜３６  ポケット、４  台板１と上板２を縫い合わせる綴じ糸、５１  ポケット３１とポケット３２を区切る綴じ糸、５２  ポケット３２とポケット３３を区切る綴じ糸、５３  ポケット３３とポケット３４を区切る綴じ糸、５４  ポケット３４とポケット３５を区切る綴じ糸、５５  ポケット３５とポケット３６を区切る綴じ糸、６  縫い針
【図１】
0003212383.tif 000003
【図２】
0003212383.tif 000004
【図３】
0003212383.tif 000005
【図４】
0003212383.tif 000006